(57)【要約】【課題】棟受け金具のレベル合わせが必要になる。【解決手段】屋根下地５における棟部８と同等の長さを有する下方開口ボックス状に形成して、その上部に棟木12を載置固定可能にし、少なくとも一方の端面に通気開口部21、21a を形成した換気棟用棟木受承具11を、屋根下地５における、開口部10を開設した棟部８に設置し、該棟木受承具11の上面に棟木12を載置固定し、該棟木12の上方に冠瓦14、14a …及び棟止め瓦15を直列葺設すると共に、該冠瓦14、14a …及び棟止め瓦15を、その上方より貫通させて棟木12に打ち込んだ長寸な固定具16で固定し、棟止め瓦15の垂れ部15a に通気口24を形成することで、棟木12を固定するための棟受け金具が不要な換気棟構造を構築可能にする。【選択図】図２
2008297700.tif 000002
【特許請求の範囲】
【請求項１】
屋根下地における棟部と同等の長さを有する下方開口ボックス状に形成して、その上部に棟木を載置固定可能にし、少なくとも一方の端面に通気開口部を形成したことを特徴とする換気棟用棟木受承具。
【請求項２】
棟部の長さ方向に長い一対の側板の上端部間を上部板で連結一体化すると共に、上記側板の下端縁部より屋根の勾配方向に固定板を連続形成して、両端部に通気開口部を形成したことを特徴とする請求項１記載の換気棟用棟木受承具。
【請求項３】
側板及び上部板端部を固定板より突出させたことを特徴とする請求項２記載の換気棟用棟木受承具。
【請求項４】
屋根下地における、開口部を開設した棟部に、請求項１乃至請求項３の棟木受承具を設置し、該棟木受承具の上面に棟木を載置固定し、該棟木の上方に冠瓦及び棟止め瓦を直列葺設すると共に、該冠瓦及び棟止め瓦を、その上方より貫通させて棟木に打ち込んだ長寸な固定具で固定し、棟止め瓦の垂れ部に通気口を形成したことを特徴とする換気棟構造。
【請求項５】
棟木を設置した状態の棟木受承具に防水シートを被せたことを特徴とする請求項４記載の換気棟構造。
【請求項６】
冠瓦及び棟止め瓦と桟瓦間に防水シーラーを介設したことを特徴とする請求項４又は５記載の換気棟構造。
【発明の詳細な説明】
【技術分野】
【０００１】
本発明は、屋根裏に溜まった内気を建物外部へ排出させる様にした換気棟用棟木受承具及びそれを使用した換気棟構造に関する。
【背景技術】
【０００２】
従来、かかる換気機能のある屋根にあっては、屋根の棟部に略倒Ｕ字形の複数個の棟コアを直列状に葺設してその両端開口部部を換気口として利用可能にした換気棟構造が見受けられ、上記棟コアの両端部に設けた切欠き部に、屋根下地に固定した棟受け金具（強力棟）を通して該棟受け金具の上部に棟木を載架固定して、該棟木に台のし瓦、丸瓦を番線などの緊結手段により連結する様にし、又この棟コアを乾式工法にも利用可能とされている（例えば、特許文献１参照）。
【０００３】
【特許文献１】特願平１１−１８１９６５号公報（特許請求の範囲、段落番号〔００１０〕、〔００１８〕、図７）
【発明の開示】
【発明が解決しようとする課題】
【０００４】
ところが、上記換気棟構造にあっては、棟木を固定するために複数個の棟受け金具を固定せねばならないことから、全ての棟受け金具のレベルを合わせねばならないため、設置作業が甚だ面倒であるなど解決せねばならない課題があった。
【課題を解決するための手段】
【０００５】
本発明は、上記従来技術に基づく、棟受け金具のレベル合わせが必要な課題に鑑み、屋根下地における棟部と同等の長さを有する下方開口ボックス状に形成して、その上部に棟木を載置固定可能にし、少なくとも一方の端面に通気開口部を形成した換気棟用棟木受承具を、屋根下地における、開口部を開設した棟部に設置し、該棟木受承具の上面に棟木を載置固定し、該棟木の上方に冠瓦及び棟止め瓦を直列葺設すると共に、該冠瓦及び棟止め瓦を、その上方より貫通させて棟木に打ち込んだ長寸な固定具で固定し、棟止め瓦の垂れ部に通気口を形成することによって、棟木を固定するための棟受け金具を不要にして、上記課題を解決する。
【発明の効果】
【０００６】
要するに本発明は、屋根下地における棟部と同等の長さを有する下方開口ボックス状に形成して、その上部に棟木を載置固定可能にし、少なくとも一方の端面に通気開口部を形成したので、屋根下地における棟部に上記棟木受承具を単に設置すれば、該棟木受承具の上面が棟木の載置部位になるため、従来の様なレベル合わせを不要にすることが出来、設置作業の簡略化を図ることが出来る。
而も、棟部の長さ方向に長い一対の側板の上端部間を上部板で連結一体化すると共に、上記側板の下端縁部より屋根の勾配方向に固定板を連続形成して、両端部に通気開口部を形成したので、両端部に通気開口部が形成された下方開口ボックスを簡単な構成で形成することが出来、更に側板及び上部板端部を固定板より突出させたので、上記通気開口部を棟止め瓦の通気口に近づけることが出来るため、該通気口から確実に外部排出させることが出来る。
【０００７】
屋根下地における、開口部を開設した棟部に、請求項１乃至請求項３の棟木受承具を設置し、該棟木受承具の上面に棟木を載置固定し、該棟木の上方に冠瓦及び棟止め瓦を直列葺設すると共に、該冠瓦及び棟止め瓦を、その上方より貫通させて棟木に打ち込んだ長寸な固定具で固定し、棟止め瓦の垂れ部に通気口を形成したので、冠瓦及び棟止め瓦を、従来の棟受け金具による工法と同様に、乾式工法で葺設することが出来、そして開口部を通過した内気を、棟木受承具の下方開口部より該棟木受承具内に流入し、通気開口部を通って棟止め瓦の通気口から建物外部へ排出することが出来、且つ屋根裏から排気流路の出口は棟止め瓦の通気口だけになるため、雨粒の侵入経路を最小限に抑えることかでき、而も上記通気口と屋根下地の開口部とが、袖瓦を葺設するために必要な空間分離れているため、例え上記通気口から雨粒が侵入したとしても上記開口部まで届かず、よって棟部内への雨粒の侵入を阻止することが出来る。
よって、上記換気棟構造としたことによって、屋根裏の内気を建物外部へ排出することが出来るため、快適な居住空間を提供することが出来るため、湿気による構造材料の老朽化、汚れを可能な限り抑止することが出来る。
【０００８】
而も、棟木を設置した状態の棟木受承具に防水シートを被せたので、通気開口部以外の水分の侵入部位が皆無になるため、防水機能の向上を図ることが出来、更に冠瓦及び棟止め瓦の両下端面と最上段の桟瓦との間に形成される隙間からの雨粒などの水分の侵入も考慮しなければならないが、冠瓦及び棟止め瓦と桟瓦間に防水シーラーを介設したので、上記隙間を完全に閉鎖することが出来るため、この隙間からの雨粒の侵入を阻止することが出来、よって更に完璧な防水機能を具備させた換気棟構造を具現化することが出来る等その実用的効果甚だ大なるものである。
【発明を実施するための最良の形態】
【０００９】
以下本発明の実施の形態を図面に基づいて説明する。
図１に示す様に、小屋組１における垂木２上に野地板３、ルーフィング４及び横桟６を設けて屋根下地５とし、桟瓦７を上記横桟６に引っ掛けて葺設している。
又、屋根下地５における棟部８に、屋根裏９を外部と連通させる開口部10を開設している。
【００１０】
又、屋根下地５の棟部８に、該棟部８と長さが同等の棟木受承具11を設置し、該棟木受承具11の上部に棟木12を載置、固定し、該棟木12を設置状態の棟木受承具11に防水シート13を被せ、該防水シート13の両側端部を屋根下地５側に固定している。
そして、上記棟木12に、該棟木12上方に直列葺設した冠瓦14、14a …及び棟止め瓦15を上方より貫通させ防水シート13をも貫通させた長寸な釘、ネジ等の固定具16を打ち込み、冠瓦14、14a …及び棟止め瓦15と桟瓦７間を防水シーラー17で閉鎖している。
【００１１】
上記棟木受承具11にあっては、図３に示す様に、金属板を適宜屈曲して形成したもので、一対の側板18、18a 、該側板18、18a の上端部間を連結一体化する上部板19、上記側板18、18a の下端縁部より屋根の勾配方向に連続形成した固定板20、20a とを備えて、両端部に通気開口部21、21a を形成し、上部板19の両側部の複数箇所の夫々に一対の棟木固定板22、22a を上方突設し、該棟木固定板22、22a の下端部間を連結一体化する連結板23を上記上部板19に固設することで、棟木固定板22、22a を棟木受承具11に固定している。
【００１２】
上記棟止め瓦15における垂れ部15a に通気口24を形成し、棟木受承具11の通気開口部21、21a を通過した内気が通気口24を通って外部排出する様に成っている。
又、上記通気口24は、図面上、内方より外方且つ下方へ斜めに形成されているが、かかる形態に限定せず、又通気口24に防虫用ネット（図示せず）を設けても良く、該防虫用ネットの網目を細かくすれば、防水機能も向上する。
【００１３】
又、図４、５に示す様に、上記棟木受承具11における側板18、18a 及び上部板19の端部を固定板20、20a の端部より突出させ、側板18、18a の突出部位の下端部間に下部板25を一体形成し、該下部板25の中間部より先端側部位を下方に屈曲して排水誘導部26を形成している。
具体的には、棟木受承具11を側板部材、上部板部材及び固定板部材を備えた主体部材11a と、側板部材、上部板部材、固定板部材及び上記下部板25を備えた端部部材11b の複合材とし、主体部11a の端部に端部部材11b の端部を重ねる様に被せて棟木受承具11と成している。
【００１４】
尚、屋根下地５における棟部８に開設された開口部10にあっては、野地板３及びルーフィング４を棟部８まで張らないことで該棟部８に形成された隙間であるが、野地板３を隙間無く張った棟部８に丸鋸等により切断開設したものであっても良い。
又、屋根の形態は、図面上「切妻」であるが、図示しないが「寄棟」であっても良い。
又、棟木受承具11を金属製としているが、例えば木製、プラスチック製とするなど、要するにある程度の強度を有するものであれば材質に限定されない。
【００１５】
次に、本発明に係る換気棟構造の施工法について説明する。
（１）棟部８に棟木受承具11を設置すると共に、固定板20、20a を貫通させた釘、ネジ等の固定具28を野地板４に打ち込んで棟木受承具11を固定する。
又、図４、５に示す棟木受承具11では、先ず主体部11a を固定した後、該主体部11a の端部に端部部材11b の端部を重ねる様に被せて棟部８に設置して固定する。
（２）上記棟木受承具11の上部板19上に棟木12を載置し、棟木固定板22、22a を貫通させた釘、ネジ等の固定具27、27a を棟木12に打ち込んで、棟木受承具11に対し棟木12を固定する。
（３）棟木12を設置状態の棟木受承具11に防水シート13を被せ、該防水シート13の両側端部を屋根下地５側に固定した後、屋根両側の最上段の桟瓦７に跨がる様に冠瓦14、14a …及び棟止め瓦15を直列葺設すると共に、かかる冠瓦14、14a …及び棟止め瓦15の上方より貫通させた固定具16を防水シート13を貫通させて棟木12に打ち込んで、桟瓦７の上面に設けた防水シーラー17との隙間を閉鎖する様に冠瓦14、14a …及び棟止め瓦15を固定する。
【００１６】
次に本発明に係る換気棟構造の作用について説明する。
屋根裏９の内気は、図２、４に示す様に、棟部８の開口部10を通って、棟木受承具11の下方開口部より該棟木受承具11内に流れ込み、通気開口部21を通って、棟止め瓦15の通気口24より建物外部へ排出される。
【００１７】
尚、本願における「瓦」は、図面上陶磁製瓦であるが、屋根葺材全般の総称として使用しており、陶磁製瓦に限定されない。
【図面の簡単な説明】
【００１８】
【図１】本発明に係る換気棟構造の横断面図である。
【図２】図１の換気棟構造の縦断面図である。
【図３】図１の換気棟構造に使用する棟木受承具の斜視図である。
【図４】換気棟構造の他の実施例の横断面図である。
【図５】図４の換気棟構造の縦断面図である。
【図６】本発明に係る換気棟構造を備えた瓦屋根の側面図の要部拡大図である。
【符号の説明】
【００１９】
５          屋根下地
８          棟部
10          開口部
11          棟木受承具
12          棟木
13          防水シート
14、14a …  冠瓦
15          棟止め瓦
15a         垂れ部
16          固定具
17          防水シーラー
18、18a     側板
19          上部板
20、20a     固定板
21、21a     通気開口部
24          通気口
【図１】
2008297700.tif 000003
【図２】
2008297700.tif 000004
【図３】
2008297700.tif 000005
【図４】
2008297700.tif 000006
【図５】
2008297700.tif 000007
【図６】
2008297700.tif 000008